(57)【特許請求の範囲】
【請求項１】
板状の固定刃と、この固定刃に沿って移動しながら記録紙を紙幅方向に切断する丸刃カッタと、この丸刃カッタを支持し紙幅方向に移動するキャリッジと、このキャリッジを移動自在に支持するフレームと、このフレームに装着され、前記キャリッジの移動により記録紙への押圧、開放を行う紙押さえ手段とを備え、前記キャリッジが第１の位置にあるときは記録紙の移動に制限を加えることが無く、前記キャリッジが第１の位置以外にあるときは記録紙をフレームに押圧保持する紙押さえ手段とした記録紙の切断装置。
【請求項２】
記録紙をフレーム方向に押圧する紙押さえ手段が回転軸によって揺動可能にフレームに装着されているとともに、付勢手段により記録紙をフレームに押圧する方向に付勢され、キャリッジが第１の位置にあるときは前記付勢手段に抗して紙押さえ手段を記録紙から離反する方向に、キャリッジと紙押さえ手段が当接する構成とした請求項１に記載の記録紙の切断装置。
【請求項３】
記録紙をフレーム方向に押圧する紙押さえ手段が、記録紙をフレームに押圧する方向に付勢された弾性体からなり、キャリッジが第１の位置にあるときは紙押さえ手段を記録紙から離反する方向に、キャリッジと紙押さえ手段が当接する構成とした請求項１に記載の記録紙の切断装置。
【請求項４】
記録紙をフレーム方向に押圧する紙押さえ手段が、記録紙を幅方向に切断する丸刃カッタの記録紙への切り込みの開始位置を押さえる構成とした請求項１に記載の記録紙の切断装置。
【発明の詳細な説明】
【０００１】
【発明の属する技術分野】
本発明はプリンタ装置等の記録紙の切断装置に関するものである。
【０００２】
【従来の技術】
従来、記録紙を切断する切断装置としては、例えば図４に示すようなものが特開平２−９２６６０号公報に開示されている。図４（ａ）、図４（ｂ）は記録紙を記録紙の幅方向に動作するカッター刃機構を有するプリンタ装置の平面図と斜視図である。また、図５は記録紙を切断するときの要部平面図である。
【０００３】
特開平２−９２６６０号公報によれば、図４（ａ）及び（ｂ）において、キャリッジ１６に支持された回転刃１４が、キャリッジ１６と共に固定刃１３に沿って移動することにより、記録紙１５を切断する動作が行われるというものである。
【０００４】
【発明が解決しようとする課題】
しかしながら上記従来の構成の記録紙の切断装置では、記録紙１５は回転刃１４の移動によって紙幅の切断方向に力を受けるので、図５のように切断部においてシワになりやすく、まっすぐに切断されにくいという課題を有していた。
【０００５】
さらに、シワになった記録紙１５の切断は不完全になり易く、また紙送り機能も不能になることがあり、最悪状態の紙ジャム（紙詰まり）を起こす要因となっていた。特に記録紙１５が薄い場合や高温多湿の環境下で使用する場合など、記録紙１５の剛性つまり紙のコシが弱いまたは弱くなる場合には顕著であり、従って、記録紙１５の紙厚や使用環境に制約がある等の課題を有していた。
【０００６】
本発明はこのような従来の課題を解決し、記録紙の切断時に切断部の記録紙がシワになりにくくまっすぐに切断できるので、紙ジャム（紙詰まり）の起こる可能性を少なくし、さらに記録紙の紙厚や使用環境に制約の少ない記録紙の切断装置を提供することを目的とするものである。
【０００７】
【課題を解決するための手段】
この課題を解決するために本発明による記録紙の切断装置は、記録紙を紙幅方向に切断するカッター刃と、このカッター刃を支持し紙幅方向に移動するキャリッジと、このキャリッジを移動自在に支持するフレームと、このフレームに装着され、キャリッジの移動により記録紙への押圧、開放を行う紙押さえ手段から構成され、キャリッジが第１の位置にあるときには記録紙を自由に、第１の位置以外にあるときは記録紙をフレームに押圧する紙押さえ手段から構成したものである。
【０００８】
この構成によれば、記録紙の切断時に切断部の記録紙がシワになりにくく、まっすぐな切断が可能となり、また、記録紙の紙厚や使用環境に制約の少ない記録紙の切断装置が得られる。
【０００９】
【発明の実施の形態】
本発明の請求項１に記載の発明は、板状の固定刃と、この固定刃に沿って移動し記録紙を紙幅方向に切断する丸刃カッタと、この丸刃カッタを支持し紙幅方向に移動するキャリッジと、このキャリッジを移動自在に支持するフレームと、このフレームに装着され、キャリッジの移動により記録紙への押圧、開放を行う紙押さえ手段から構成され、キャリッジが第１の位置にあるときは記録紙を自由に、第１の位置以外にあるときは記録紙をフレームに押圧する紙押さえ手段から構成し、記録紙の切断時に切断部の記録紙がシワになりにくくまっすぐな切断が可能となり、また、記録紙の紙厚や使用環境に制約が少ないという作用を有する。
【００１０】
本発明の請求項２に記載の発明は、請求項１に記載の発明において、記録紙をフレーム方向に押圧する紙押さえ手段が回転軸によって揺動可能にフレームに装着されているとともに、付勢手段により記録紙をフレームに押圧する方向に付勢され、キャリッジが第１の位置にあるときは前記付勢手段に抗して紙押さえ手段を記録紙から離反する方向にキャリッジと紙押さえ手段が当接するように構成し、記録紙の切断時に切断部の記録紙がシワになりにくくまっすぐな切断が可能となり、また、記録紙の紙厚や使用環境に制約が少ないという作用を有する。
【００１１】
本発明の請求項３に記載の発明は、請求項１に記載の発明において、記録紙をフレーム方向に押圧する紙押さえ手段が、記録紙をフレームに押圧する方向に付勢された弾性体によって構成され、キャリッジが第１の位置にあるときは、紙押さえ手段を記録紙から離反する方向にキャリッジと紙押さえ手段が当接するように構成し、記録紙の切断時に切断部の記録紙がシワになりにくくまっすぐな切断が可能となり、また、記録紙の紙厚や使用環境に制約が少ないという作用を有する。
【００１２】
本発明の請求項４に記載の発明は、請求項１に記載の発明において、記録紙をフレーム方向に押圧する紙押さえ手段が、記録紙を紙幅方向に切断する丸刃カッタの記録紙への切り込みの開始位置を押さえる構成としたので、記録紙の切断開始位置での切断が良好になるとともに、記録紙の一端のみを押圧保持するので紙押さえ手段の構成が簡単になるという作用を有する。
【００１３】
以下、本発明の実施の形態について、図１から図３を用いて説明する。
（実施の形態１）
図１（ａ）は本発明の第１の実施の形態における記録紙の切断装置の構成を示す平面図であり、図１（ｂ）は同実施の形態における記録紙の切断装置の斜視図である。
【００１４】
図２は同実施の形態における紙押さえ手段とキャリッジ部拡大図であり、図２（ａ），（ｂ）はキャリッジと紙押さえ部分の動作を示す平面図、図２（ｃ）は紙押さえ手段であるレバーを示す斜視図である。
【００１５】
図１において、１は板状の固定刃、２は固定刃１に沿って記録紙を切断する丸刃カッタ、３は丸刃カッタ２を回転自在に支持するキャリッジ、４はキャリッジ３を直動自在に支持したシャフト、５はキャリッジ３を紙幅方向に駆動するクロスリードスクリュー、６は駆動源のモータ、７はモータ６の駆動力を伝達するギア列、８は固定刃１を固定し、シャフト４の両端を固定し、モータ６を固定し、クロスリードスクリュー５を回転自在に支持するフレームであり、９は記録紙を矢印方向Ａへ押圧する紙押さえ手段であり、回転軸９ｃによって揺動可能にフレーム８に取り付けられたＬ字形状のレバーから構成されている。また、１５は記録紙であり、切断装置の下方から上方に向かって送られてくるものである。
【００１６】
記録紙１５に対して印字を行う記録装置は、フレーム８の下方の図示していない位置に配置される。
【００１７】
また、図２（ａ），（ｂ）は、紙押さえ手段９であるレバーとフレーム８とキャリッジ３と記録紙１５の関係を詳細に示した平面図であり、丸刃カッタ２はキャリッジ３に回転自在に支持されている。また、レバーからなる紙押さえ手段９は同じく回転軸９ｃによって回転自在に支持されている。また、圧縮バネ１０は紙押さえ手段９を時計回りの方向へ付勢している。また記録紙１５は前記丸刃カッタ２と固定刃１の間に位置している。
【００１８】
なお、図２（ｃ）は紙押さえ手段９を示す斜視図である。
以下に、図１、図２を用いて同実施の形態における動作を説明する。
【００１９】
図１においてモータ６により駆動力を与えられたギア列７は、クロスリードスクリュー５を回転させ、このクロスリードスクリュー５の溝によって、キャリッジ３はシャフト４を摺動し往復運動を行う。この往復運動により、丸刃カッタ２は固定刃１に沿って回転し、記録紙１５を切断することになる。
【００２０】
このとき図２（ａ）の状態は、キャリッジ３が第１の位置つまり左端のホームポジションの位置にあるときを示すものであり、キャリッジ３が紙押さえ手段９に当接し、圧縮バネ１０に抗して紙押さえ手段９を左回転方向に揺動させている。従って記録紙１５の動きは自由であり、この状態で印字あるいは紙送りが自由に行える。
【００２１】
次に図２（ｂ）は、キャリッジ３が第１の位置以外にあるとき、すなわち紙切断の状態にあるときであり、圧縮バネ１０は紙押さえ手段９を時計回りの方向へ付勢しており、記録紙１５は、矢印Ａ方向に押圧されているので丸刃カッタ２の動きにより、紙幅方向に力を受けても移動することがなく、切断部もシワにならない。従って、記録紙１５はまっすぐに切断される。
【００２２】
切断終了とともに、キャリッジ３は元の位置つまり第１の位置に戻り、キャリッジ３は紙押さえ手段９に当接するので、紙押さえ手段９を左回転方向に揺動させ初期状態に復帰する。
【００２３】
なお、図２（ｃ）の紙押さえ手段９の斜視図において、９ａはキャリッジ３に当接する部分、９ｂは記録紙１５を押圧する部分である。この記録紙１５を押圧する部分９ｂは、記録紙１５に対する摩擦力を上げるために面粗度を粗くしたり、あるいは摩擦係数の大きいゴムシートなどの貼付を行うことが適切である。
【００２４】
以上のように同実施の形態１によれば、記録紙１５の切断時に、切断部の記録紙１５がシワになりにくく、まっすぐな切断が可能となり、また、記録紙１５の紙厚や使用環境に制約が少ないという有利な効果が得られる。
【００２５】
（実施の形態２）
図３（ａ），（ｂ）は本発明の第２の実施の形態における記録紙の切断装置の丸刃カッタ２と固定刃１、フレーム８とキャリッジ３と記録紙１５の関係を詳細に示した拡大平面図であり、１１はフレーム８に具備された弾性体で構成された紙押さえ手段である。本実施の形態での紙押さえ手段１１は板バネで構成されており、記録紙１５はこの板バネからなる紙押さえ手段１１により、フレーム８に矢印方向Ａに押圧されている。また、図３（ｃ）は板バネからなる紙押さえ手段１１の斜視図である。
【００２６】
以下に図３を用いて同実施の形態における動作を説明する。ただし、キャリッジ３の動作、丸刃カッタ２、固定刃１の動作などは実施の形態１と全く同様であるので詳細な説明は省略する。
【００２７】
図３（ａ）の状態は、キャリッジ３が第１の位置つまり左端のホームポジションの位置にあるときを示すものであり、キャリッジ３に設けられた爪３ａが板バネからなる紙押さえ手段１１を係止し、紙押さえ手段１１を図３（ｂ）に示す矢印Ａと反対方向へ持ち上げている。従って記録紙１５の動きは自由であり、この状態で印字あるいは紙送りが自由に行える。
【００２８】
次に図３（ｂ）は、キャリッジ３が第１の位置以外にあるとき、すなわち紙切断の状態にあるときであり、紙押さえ手段１１は自らのバネ力により付勢されており、記録紙１５は矢印Ａ方向に押圧されているので丸刃カッタ２の動きにより、紙幅方向に力を受けても移動することがなく、切断時もシワにならない。従って、記録紙１５はまっすぐ切断される。
【００２９】
切断終了とともに、キャリッジ３は元の位置つまり第１の位置に戻り、キャリッジ３の爪３ａは紙押さえ手段１１をすくい上げるように持ち上げ初期状態に復帰する。
【００３０】
なお、図３（ｃ）の紙押さえ手段１１の斜視図において、１１ａはキャリッジ３の爪３ａにすくい上げられ係止される部分、１１ｂは記録紙１５を押圧する部分である。
【００３１】
紙押さえ手段１１である板バネは、例えばステンレス鋼材などの薄板や、あるいは熱可塑性樹脂などの薄板で弾性を持つものが適当である。特にステンレス鋼材にて構成された板バネに摩擦係数が大きくなるゴムシートを１１ｂの部分に貼り付けた物は、付勢力を少なくしても、記録紙１５を保持する力を十分発生し、キャリッジ３の動きを阻害することがないという効果がある。
【００３２】
以上のように同実施の形態２によれば、記録紙１５の切断時に、切断部の記録紙１５がシワになりにくく、まっすぐな切断が可能となり、また、記録紙１５の紙厚や使用環境に制約が少ないという有利な効果が得られる。
【００３３】
なお、本実施の形態での紙押さえ手段１１は、丸刃カッタ２の上方にあるものとして説明したが、丸刃カッタ２の下方に位置しても同様の効果が得られる。
【００３４】
また、紙押さえ手段１１は、丸刃カッタ２の記録紙１５への切り込みの開始位置を押さえる構成とし、切断時にもっとも記録紙１５にシワの発生し易い箇所を保持することとしたが、付勢手段を有するレバー機構あるいはリンク機構により、記録紙幅の全体を押圧保持することも可能であり、同様の効果が得られる。
【００３５】
【発明の効果】
以上のように本発明による記録紙の切断装置は、板状の固定刃と、この固定刃に沿って移動し記録紙を紙幅方向に切断する丸刃カッタと、この丸刃カッタを支持し紙幅方向に移動するキャリッジと、このキャリッジを移動自在に支持するフレームと、このフレームに装着され、キャリッジの移動により記録紙への押圧、開放を行う紙押さえ手段から構成され、キャリッジが第１の位置にあるときには記録紙を自由に、第１の位置以外にあるときは記録紙をフレームに押圧する紙押さえ手段から構成しているので、記録紙の切断時に切断部の記録紙がシワになりにくく、まっすぐな切断が可能となり、また、記録紙の紙厚や使用環境に制約の少ないという有利な効果が得られる。
【図面の簡単な説明】
【図１】（ａ）本発明の第１の実施の形態における記録紙の切断装置の構成を示す平面図
（ｂ）同斜視図
【図２】（ａ）同実施形態における記録紙切断部分の要部平面図
（ｂ）同要部平面図
（ｃ）同紙押さえ手段の斜視図
【図３】（ａ）本発明の第２の実施の形態における記録紙切断部分の要部平面図
（ｂ）同要部平面図
（ｃ）同紙押さえ手段の斜視図
【図４】（ａ）従来の切断機構を有する装置の平面図
（ｂ）同斜視図
【図５】従来の切断機構の記録紙切断部の要部平面図
【符号の説明】
１  固定刃
２  丸刃カッタ
３  キャリッジ
４  シャフト
５  クロスリードスクリュー
６  モータ
７  ギア列
８  フレーム
９  紙押さえ手段
１０  圧縮バネ
１１  紙押さえ手段
１５  記録紙
【図１】
0003661403.tif 000002
【図２】
0003661403.tif 000003
【図３】
0003661403.tif 000004
【図４】
0003661403.tif 000005
【図５】
0003661403.tif 000006